(57)【要約】【課題】  基台部の正面側に配線基板等の電気部品が配設される発射ハンドルにおいて、電気部品と接続する電気配線の煩雑化及び断線等の発生を防止する。【解決手段】  発射ハンドルは、遊技者が回動操作する発射操作部材２３を回動可能に支持する基台部２１と、発射操作部材２３の正面側に配置され、内部に配線基板２６を収納するキャップ部２２とを備える。基台部２１の正面側に配置される配線基板２６の接続端子２８と電気的に接続する電気配線３０は、基台部２１の内部において正面側断面の中心から接続端子２８の位置に対応した位置寄りに設けられた配線通路６１を経由して、基台部２１の背面側に導かれる。【選択図】  図３
2013141476.tif 000002
【特許請求の範囲】
【請求項１】
弾球遊技機に設けられる発射ハンドルであって、
遊技者が回動操作する発射操作部材と、
前記弾球遊技機に取り付けられて前記発射操作部材を回動可能に支持する基台部と、
前記発射操作部材の正面側に配置されるキャップ部とを備え、
前記基台部の正面側に配置される電気部品の接続端子と電気的に接続する電気配線が、前記基台部の正面側から、前記基台部の内部において該基台部の正面側断面の中心から前記接続端子の位置に対応した位置寄りに設けられた配線通路を経由して、前記基台部の背面側に導かれるように構成されることを特徴とする発射ハンドル。
【請求項２】
請求項１記載の発射ハンドルにおいて、前記電気部品は前記キャップ部の内部に配置された配線基板であり、前記電気配線は、前記基台部の正面側で前記発射操作部材の内側に設けられた周方向長孔内に位置する２つの連結部の間を通って前記基台部内に入り、前記配線通路を経由して前記基台部の背面側に導かれることを特徴とする請求項１記載の発射ハンドル。
【請求項３】
請求項１記載の発射ハンドルにおいて、前記電気部品は前記基台部の内部正面側に配置され、前記電気配線は、前記基台部の正面側に位置する支持部材に支持されて、該支持部材に隣接して形成された開口から前記基台部内に入り、前記配線通路を経由して前記基台部の背面側に導かれることを特徴とする発射ハンドル。
【請求項４】
前記請求項１乃至３のいずれか１項記載の発射ハンドルを備えた遊技機。
【発明の詳細な説明】
【技術分野】
【０００１】
本発明は、弾球遊技用発射ハンドル及び当該発射ハンドルを備えた遊技機に関する。
【背景技術】
【０００２】
弾球遊技機の代表例のパチンコ遊技機においては、装飾性を高めるために、遊技盤面上やパチンコ機本体の正面の枠上に電飾ランプ等を設けて点滅又は点灯するほか、発射ハンドルにも発光手段を内蔵したものが提案されている。
【０００３】
例えば、下記特許文献１に開示された発射ハンドルでは、ハンドル基部において遊技者が回動操作するレバーよりも遊技機の本体側に設けられた発光体の発光により、光透過性を有するレバー及び正面側に位置するキャップ部材を照明するようにしている。しかしながら、発射ハンドルの照明効果をより向上させるためには、キャップ部材の内部に発光体を配置することが好適である。そこで、発射ハンドルの正面側にあって半透明な合成樹脂材料から半球形状に形成されたキャップ内に複数個のＬＥＤ（発光ダイオード）を配置することが提案されている。
【０００４】
このような発射ハンドルにおいては、正面側のキャップ内に配設されたＬＥＤ基板や他の配線基板から引き出された電気配線が、遊技者によって操作される発射操作部材の外周縁部に沿って開設された円弧状の孔を通り、遊技機に取り付けた発射ハンドルの基台部に導入される。このため、遊技者が遊技球を発射する際の力を調整するように発射操作部材を回動させるとき、電気配線が円弧状孔の内周縁に接触して擦れることになる。これにより、発射操作部材を繰り返し回動させると、電気配線の被覆層が剥がれて内部の芯線が露出し、短絡事故や断線事故を起こす可能性がある。
【０００５】
そこで、下記特許文献２に記載の発射ハンドルでは、発射操作部材の中央に基端側と先端側が開放される筒状の軸筒部を設け、この軸筒部の基端側が回動自在に嵌合して該軸筒部の内部と連通する透孔を開設した軸受凹部を、基台部内の仕切り壁に設け、発射操作部材の先端側の配線基板やモータ等の電気部品から引き出された電気配線を、上記軸筒部に挿通して基端側の基台部へ導くようにしている。
【０００６】
これにより、遊技者が発射操作部材を回動しても、電気配線は発射操作部材の回動動作に影響されずに配置されることになるので、発射操作部材の回動動作によって電気配線の被覆層が剥がれて短絡事故や断線事故が起こる可能性をなくすことができる。
【先行技術文献】
【特許文献】
【０００７】
【特許文献１】特開２００７−２３６６３６号公報
【特許文献２】特開２００８−２６４２３５号公報
【発明の概要】
【発明が解決しようとする課題】
【０００８】
しかしながら、上記のように正面側のキャップ内に配設された配線基板等の電気部品から引き出された電気配線が発射操作部材の中央の軸筒部を貫通して基台部に導入される配線構造では、基台部側から見ると、上記の電気配線は、発射操作部材の中央の軸筒部から正面側のキャップ内に入り、配線の先端が配線基板等の電気部品に接続されている。
【０００９】
このため、キャップ内の電気部品に電気配線の先端を接続するコネクタの位置が発射操作部材の中央部から離れる程、電気配線は延長される。その結果、コネクタに接続する配線の引き回しが煩雑化すると共に、キャップ内部のスペースも電気配線に占有されてしまうという問題がある。これは、発射ハンドルの装飾性を高めるために、キャップ内にＬＥＤなどの発光体や電飾部材を作動させる機構をより多く配置する場合に、より大きな問題となる。
【００１０】
また、基台部の内部を通る電気配線の先端を接続する電気部品の接続端子が基台部の正面側に位置する場合でも、基台部における配線の引き回しが煩雑化する。その結果、正面側に位置する発射操作部材が回動操作される際に、引き回される配線が発射操作部材に接触したり引っ掛かったりして配線の短絡や断線を生ずる恐れもあった。
【００１１】
本発明は、以上に鑑みてなされたもので、基台部の正面側に配線基板等の電気部品が配設される発射ハンドルにおいて電気配線の煩雑化及び短絡等の故障を防止することを目的とする。
【課題を解決するための手段】
【００１２】
本発明の発射ハンドルは、遊技者が回動操作する発射操作部材と、前記弾球遊技機の正面に取り付けられて前記発射操作部材を回動可能に支持する基台部と、前記発射操作部材の正面側に配置されるキャップ部とを備え、前記基台部の正面側に配置された電気部品の接続端子と電気的に接続する電気配線が、前記基台部の正面側から、前記基台部の内部において該基台部の正面側断面の中心から前記接続端子の位置に対応した位置寄りに設けられた配線通路を経由して、前記基台部の背面側に導かれるように構成されることを特徴とする。
【００１３】
本発明の発射ハンドルにおいて、前記電気部品が前記キャップ部の内部に配置された配線基板である場合には、前記電気配線は、前記基台部の正面側で前記発射操作部材の内側に設けられた周方向長孔内に位置する２つの連結部の間を通って基台部内に入り、前記配線通路を経由して前記基台部の背面側に導かれることが好ましい。
【００１４】
また、前記電気部品が前記基台部の内部正面側に配置される場合には、前記電気配線は、前記基台部の正面側に位置する支持部材に支持されて、該支持部材に隣接して形成された開口から前記基台部内に入り、前記配線通路を経由して前記基台部の背面側に導かれることが好ましい。
【発明の効果】
【００１５】
本発明によれば、発射ハンドルにおいて電気配線の煩雑化を回避すると共に配線の短絡や断線を防止することができる。
【図面の簡単な説明】
【００１６】
【図１】本発明の実施形態の発射ハンドルを備えたパチンコ遊技機の正面斜視図。
【図２】実施形態の発射ハンドルの斜視図。
【図３】図２のIII−III線に沿う発射ハンドルの断面図。
【図４】発射ハンドルの分解斜視図。
【図５】基台部の正面側の構成部材を示す斜視図。
【図６】基台部の背面側の内部構成を示す斜視図。
【発明を実施するための形態】
【００１７】
本発明の実施形態は、パチンコ遊技機の本体正面に設けられる発射ハンドルであって、遊技者が回動操作する発射操作部材と、前記遊技機の正面に取り付けられて前記発射操作部材を回動可能に支持する基台部と、前記発射操作部材の正面側に配置されるキャップ部とを備え、前記基台部の背面側からその内部を通って、前記基台部の正面側に配置された電気部品の接続端子と電気的に接続する電気配線が、前記基台部の内部において該基台部の正面側断面の中心から前記接続端子の位置に対応した位置寄りに設けられた配線通路を経由して、背面側に導かれるように構成される。
【００１８】
詳細には、前記キャップ部の内部に配置された電気部品の接続端子に接続される電気配線は、前記基台部の正面側で前記発射操作部材の内側に位置する支持部材の下側から基台部内に入り、配線通路を経由して前記基台部の背面側に導かれる。また、前記基台部の内部正面側に配置された電気部品の接続端子に接続される電気配線は、前記基台部の正面側で前記発射操作部材の内側に位置する支持部材の下部から基台部内に入り、配線通路を経由して前記基台部の背面側に導かれる。
【００１９】
従って、発射操作部材より正面側に配置された電気部品の接続端子に接続する電気配線の引き回しを最小にして、電気配線の煩雑化と断線等の発生を回避することができる。
【００２０】
以下、図面を参照して説明する。なお、本発明の発射ハンドルは、パチンコ遊技機、雀球遊技機、アレンジボール機等、種々の弾球遊技機に適用できるが、以下の説明では、パチンコ遊技機に適用される場合について説明する。
【００２１】
図１は、本実施形態に係る発射ハンドルを備えたパチンコ遊技機１の正面側から見た斜視図である。このパチンコ遊技機１は、矩形状の外枠２と、この外枠２に開閉可能に枢着された前面枠３及び前扉５を備えている。前面枠３は額縁状で、開口部に遊技盤が取付け可能となっている。前扉５の中央部にはガラス板６が嵌め込まれ、外部から遊技盤が視認可能となっている。
【００２２】
前扉５の上部左右両側には、スピーカ７が設けられている。スピーカ７は、遊技に伴う演出効果音を外部に出力する音響出力部である。前扉５の左右両側及び上部には、枠装飾ＬＥＤ８が設けられている。枠装飾ＬＥＤ８は、遊技の演出に連動してＬＥＤが点滅する発光装飾部である。
【００２３】
前扉５の下側には前面板９が取り付けられ、その左端部は、外枠２に開放可能に枢着されている。前面板９には、発射機構を作動させるための発射ハンドル１０、遊技球を貯留する上貯留皿１１及び下貯留皿１２等が設けられている。発射ハンドル１０は、これを遊技者が回動動作することによって、球発射部から遊技盤の盤面上に遊技球を打ち出す力を調節できるようになっている。
【００２４】
また、上貯留皿１１の表面部分には、内蔵ランプが点灯したとき操作可能となる左演出ボタン１３と、中央演出ボタン１４が設けられている。両演出ボタン１３、１４は、遊技中に操作の機会が与えられ、ボタンを押下することにより演出を変化させることができる。
【００２５】
以下、実施形態の発射ハンドルについて詳細に説明する。
【００２６】
図２に示すように、発射ハンドル１０は、全体として合成樹脂で形成され、上記パチンコ遊技機の前面板９に固定される円筒状の基台部２１と、正面側の略ドーム状キャップ部２２とを備え、これらの間に略リング状の発射操作部材２３を回動可能に取り付けて構成されている。
【００２７】
発射操作部材２３は、発射ハンドル１０の外周に沿って、遊技者から見て右回りに回転可能に設けられ、遊技者がこの発射操作部材２３を操作することに応じて、遊技機の前面枠３の内部に設けた球発射機構が遊技球を発射する。そのため、発射ハンドル１０内には、遊技者が発射操作部材２３を操作していることを検出する公知の検知回路が設けられている。また、発射操作部材２３は、その外周面に複数箇所（図示の例では３箇所）で外方に突出する突起部２３ａ，２３ｂ，２３ｃを備えている。
【００２８】
図３及び図４に示すように、発射ハンドル１０の基台部２１は、正面側に径が大きく形成された円形の周縁部２１ａを有し、基台部２１の上縁及び下縁には、それぞれ長手方向に延びた凹部２１ｂ及び２１ｃ（図６参照）が形成されている。基台部２１の正面側周縁部２１ａの内側に、発射操作部材２３の背面側周縁部からなる保持筒部２３ｄが回転自在に取り付けられる。これにより、発射操作部材２３は、基台部２１に対して、基台部２１と同じ軸周りに相対回転可能となっている。
【００２９】
従って、遊技者は、発射操作部材２３を、その突起２３ａ〜２３ｃ又はこれらの突起２３ａ〜２３ｃの間に指をかけた状態で回転させる。このように突起２３ａ〜２３ｃを設けたことにより、遊技者は発射操作部材２３を容易に回転させることができる。また、遊技者が発射操作部材２３を直接操作しているか否かを確実に判断することができる。
【００３０】
上記発射ハンドル１０のキャップ部２２は、ドームの頂点部分に円形の開口部を有する非透光性の樹脂材料で作られ、その開口部に円盤状の装飾板２４を嵌合することにより全体としてドーム状に形成されている。装飾板２４は、内側からの光で照明される樹脂材料で、例えば光透過性を有するプラスチック材料を用いて形成される。
【００３１】
また、キャップ部２２は、その開口部の外周円に沿って複数の小径孔２２ａを備えている。これらの小径孔２２ａには、キャップ部２２の内側に嵌合する光透過性装飾部材２５の周縁から突出した複数の突起部２５ａが挿入される。装飾部材２５は、その中央部分２５ｂが正面側に膨らんで装飾板２４の背面に当接し、かつ円形の外周部分がキャップ部２２の内面に当接する円盤状に形成されている。
【００３２】
装飾部材２５の内側周縁には、キャップ部２２の内壁から背面側に突設した複数の円筒先端のネジ孔に対向する位置にネジ挿通孔を有する取付壁（図示省略）が設けられている。従って、キャップ部２２の背面側に装飾部材２５を装着し、そのネジ挿通孔を介してキャップ固定される。
【００３３】
更に、キャップ部２２の内部では、装飾部材２５の背面位置にＬＥＤ基板２６が配置される。このＬＥＤ基板２６の表面（正面側）上の中央、その左右下部及び上端部の各位置に合計４個のＬＥＤ（発光ダイオード）２７が実装されている。これらのＬＥＤ２７は、ＬＥＤ基板２６の接続端子を構成する雌型コネクタ２８と基板上の配線により電気的に接続されている。
【００３４】
雌型コネクタ２８は、ＬＥＤ基板２６上でキャップ部２２の中心から偏移した位置に装着されている。この雌型コネクタ２８には、複数のリード線からなる電気配線３０の一端に設けた雄型コネクタ２９が挿入されることで、外部の給電及び制御回路と電気的に接続される。
【００３５】
本実施形態の発射ハンドル１０では、上記のようにＬＥＤ基板２６上に実装された複数のＬＥＤ２７で発光部が構成されている。この発光部は、例えば大当たり状態となった場合に、ＬＥＤ２７に通電して発光させる。これにより、遊技機が大当たり状態となっていることを遊技者やその周囲に知らせることで、大当たり状態となった遊技者の注目度を高めることができる。
【００３６】
上記ＬＥＤ基板２６のコネクタ２８と接続したコネクタ２９から引き出された第１の電気配線３０は、図３に示すように、基台部２１の正面側から、基台部２１の内部において基台部２１の正面側断面の中心から上記コネクタ２８の位置に対応した位置寄りに設けられた配線通路６１を経由して、基台部２１の背面側に導かれる。
【００３７】
詳細には、第１の電気配線３０は、後述のように発射操作部材２３の内側に周方向に長く形成された２つの長孔３２ａ，３２ｂの一方（図示の実施形態では、正面側から見て右側の長孔３２ａ）の中に位置する２本の連結部４２ｂ，４２ｃの間を通って、基台部２１内に入る。この基台部２１の正面側に突設された３本の筒状連結部４２ａ，４２ｂ，４２ｃのうちの２本の連結部（図示の場合、連結部４２ｂと４２ｃ）の間には、後述の支持部材４３の下端部４３ａが配置されている。
【００３８】
従って、第１の電気配線３０は、基台部２１の正面側で発射操作部材２３の内側に設けられた周方向長孔３２ａを通って基台部２１内に入る。そして、基台部２１の内部において支持部材４３の下側から基台部２１の内部底面上に形成された第１の配線通路６１を経由して、基台部２１の背面から外部に引き出される。
【００３９】
上記発射操作部材２３は、その背面側に、基台部２１の正面側周縁部２１ａの内側に配置される保持筒部２３ｄを有する。そして、基台部２１の正面側に回転自在に配置された発射操作部材２３の内側に、上記のように装飾部材２５及びＬＥＤ基板２６を収納したキャップ部２２の背面側の環状周縁部が位置して、上記基台部２１の正面側に取り付けられる。
【００４０】
また、図４に示すように、発射操作部材２３の正面側において円形内壁の中心部に突設した円筒状突起部２３ｅに捻りコイルバネ３１が巻装される。このコイルバネ３１の一端は、発射操作部材２３の正面側に設けた掛止片２３ｆに掛け止めされ、他端は、基台部２１の正面側中央下部に設けた係止突起４５（図５参照）の前端の穴に螺合されるネジ（図示省略）に巻回して止着される。これにより、発射操作部材２３は、時計回りに回動操作されない限り定位置に設定されている。
【００４１】
また、発射操作部材２３の内側には、基台部２１の仕切壁４１（図３参照）から正面側に突出した３本の筒状連結部４２ａ，４２ｂ，４２ｃが遊嵌し得る２つの周方向長孔３２ａ，３２ｂが形成されている。そして、発射操作部材２３が回動操作されず定位置に設定されているとき、３本の連結部のうち第１の連結部４２ａは、発射操作部材２３の正面側から見て左側の長孔３２ｂ内にあって長孔３２ｂの上端に位置し、第２、第３の連結部４２ｂ，４２ｃは右側の長孔３２ａ内にあって、第２の連結部４２ｂが長孔３２ａの左端に位置する。
【００４２】
従って、発射操作部材２３が基台部２１の正面側に取り付けられた状態で回転するとき、左側の長孔３２ｂは第１の連結部４２ａに沿って、右側の長孔３２ａは第２、第３の連結部４２ｂ，４２ｃに沿って、それぞれ移動することになる。なお、長孔３２ａ，３２ｂは左右に限らず、互いに上下に位置するように設けてもよい。
【００４３】
次に、発射ハンドル１０の基台部２１は、正面側の周縁部２１ａが椀状に広がる略円筒状の中空部材からなり、その内部の正面側寄りに、中心軸線に対して直交する仕切壁４１が形成されている。この仕切壁４１の正面に、３本の筒状連結部４２ａ，４２ｂ，４２ｃがそれぞれ正面側に突出するようにして一体に設けられている。
【００４４】
また、図４及び図５に示すように、基台部２１の内部に導入される第２の電気配線５３を支持する略円弧状の支持部材４３が取り付けられ、その取付け箇所と異なる位置に、弾性を有するリード片５１ａを備えたマイクロスイッチ５１が配置される。そのリード片５１ａには、揺動部材５２が係合する。
【００４５】
揺動部材５２は、基台部２１の仕切壁４１の正面側に突設された突起部４４の先端に嵌合する孔５２ａを設けた支点部５２ｂと、仕切壁４１の正面側に取り付けられたときに、基台部２１の正面側周縁部２１ａに形成された切欠部２１ｄから外に出る操作端部５２ｃとを有する。そして、揺動部材５２の支点部５２ｂを基台部２１の突起部４４の先端に嵌合し、孔５２ａにネジを入れて止めることにより、基台部２１の正面側で、揺動部材５２が突起部４４を支点として搖動可能に取り付けられる。
【００４６】
上記のように、基台部２１の仕切壁４１の正面側にマイクロスイッチ５１と揺動部材５２を取り付けた状態では、マイクロスイッチ５１のリード片５１ａは、先端がスイッチ本体から離れた開放位置にあり、遊技者が回動操作の際、これに係合する揺動部材５２の操作端部５２ｃを外側から押して揺動部材５２を傾動させると、マイクロスイッチ５１がオンに切換えられる。
【００４７】
上記マイクロスイッチ５１は、略直方体形状のケースの長手方向一端にリード片５１ａの一端を固定し、ケースの長手方向他端に、第２の電気配線５３の一端に結合した雄型コネクタ５４を嵌め込んで電気的に接続する構造になっている。このコネクタ５４から引き出された電気配線５３は、図５に示すように、支持部材４３の鉤部４３ｂを介して、基台部２１の仕切壁４１の下側に形成された第２の配線通路６２（図３）に導入される。
【００４８】
支持部材４３は、正面側に突出した下端部４３ａと、上記のように電気配線５３を係止する鉤部４３ｂと、ネジを貫通する孔４３ｃを設けた円筒状の取付部４３ｄとを有する。そして、この取付部４３ｄを基台部２１の仕切壁４１の正面側に突設された突起部４６の先端に嵌合して、孔４３ｃにネジを止めることで基台部２１の正面側に固定される。
【００４９】
上記のとおり、基台部２１は、その内部正面側に、揺動部材５２の支点部５２ｂを支持する突起部４４と、コイルバネ３１の他端をねじ止めする係止突起４５と、支持部材４３の取付部４３ｄを支持する突起部４６とを備えている。
【００５０】
次に、図３に示すように、基台部２１の内部において、仕切壁４１は背面側に突出した基端部４１ａを有し、その背面には、上記電気配線３０、５３とは別の第３の電気配線５９を中継する接続端子部６０を備えている。第３の電気配線５９は、前記ＬＥＤ基板２６やマイクロスイッチ５１とは別の電気部品（例えば、発射操作部材の回転操作を検知するために、基台部２１内に配置されたセンサ）に接続される。更に、仕切壁４１の下側から背面側に向かって、前述のように第１、第２の電気配線３０，５３をそれぞれ通すための配線通路６１、６２が形成されている。
【００５１】
また、図３及び図６に示すように、基台部２１の背面側では、端面を覆う蓋部材６３が配置される。この蓋部材６３は、中央から一側寄りに、配線用の貫通孔を形成する筒状部６３ａを有し、その貫通孔を、前述のように基台部２１内に導入された電気配線５３、５９が貫通して基台部２１の背面側に引き出される。これらの配線は、遊技機の制御装置に接続される。
【００５２】
上記蓋部材６３は、基台部２１内の仕切壁４１の基端部４１ａから背面側に延びた円筒状の突出部７０の先端に当接する位置に取り付けられる。ここで、蓋部材６３は、突出部７０の先端に対応する位置に設けられた孔６３ｂにネジを通して突出部７０の先端に止めることにより、取り付け位置に固定される。
【００５３】
上記のように、本実施形態では、キャップ部２２内のＬＥＤ基板２６の接続端子としてのコネクタ２８に接続するコネクタ２９から引き出された第１の電気配線３０は、発射操作部材２３の保持筒部２３ｄの内側に位置する支持部材４３の下端部４３ａの下側開口から基台部２１内に入り、第１の配線通路６１を経由して、基台部２１の背面側の蓋部材６３の筒状部６３ａから発射ハンドル１０の背面後方に導出される。
【００５４】
また、基台部２１の正面側に配置されたマイクロスイッチ５１の接続端子としてのコネクタ５４から引き出された第２の電気配線５３は、支持部材４３の鉤部４３ｂを介して、すなわち支持部材４３に支持されて、その下端部４３ａに隣接して形成された開口から基台部２１内に入り、仕切壁４１の下側に形成された第２の配線通路６２を経由して、第１の電気配線３０と共に基台部２１の背面側の筒状部６３ａから発射ハンドル１０の背面後方に導出される。
【００５５】
更に、基台部２１の内部に配置された電気部品の接続端子から引き出された第３の電気配線５９は、基台部２１内の下部空間を通り、接続端子部６０を経由して、第２の電気配線５３と共に基台部２１の背面側の筒状部６３ａから発射ハンドル１０の背面後方に導出される。
【００５６】
従って、本実施形態によれば、キャップ部２２内に配置された電気部品であるＬＥＤ基板２６の接続端子と接続する電気配線３０は、基台部２１の内部において基台部２１の正面側断面の中心から上記接続端子の位置に対応した位置寄りに設けられた配線通路６１を経由して、また、基台部２１の正面側に配置された電気部品であるマイクロスイッチ５１の接続端子から引き出された電気配線５３は、基台部２１の正面側からその内部に形成された配線通路６２を経由して、それぞれ基台部２１の背面側に導かれる。このように基台部２１の正面側に配置された電気部品の接続端子に接続する電気配線３０、５３の引き回しを最小にすることができ、その結果、正面側の電気配線の煩雑化と断線等の発生を防止することができる。
【００５７】
以上、実施形態の発射ハンドルについて説明したが、本発明はこれに限らない。また、本発明は、発射ハンドルの操作によって、打球発射部に位置する打球を発射させるタイプの弾球遊技機、或いはロータリーソレノイドによって打球発射部に位置する打球を発射させるタイプの弾球遊技機のいずれにも適用できる。
【符号の説明】
【００５８】
１・・・パチンコ遊技機、１０・・・発射ハンドル、２１・・・基台部、２２・・・キャップ部、２３・・・発射操作部材、２４・・・装飾板、２５・・・装飾部材、
２６・・・ＬＥＤ基板（電気部品）、２７・・・ＬＥＤ、２８，２９・・・コネクタ、３０，５３・・・電気配線、３１・・・コイルバネ、４１・・・仕切壁、４３・・・支持部材、５１・・・マイクロスイッチ（電気部品）、５２・・・揺動部材、６１，６２・・・配線通路、６３・・・蓋部材。
【図１】
2013141476.tif 000003
【図２】
2013141476.tif 000004
【図３】
2013141476.tif 000005
【図４】
2013141476.tif 000006
【図５】
2013141476.tif 000007
【図６】
2013141476.tif 000008